(57)【要約】【課題】本体を一方向に移動させるのみで、肌を押圧するマッサージ効果と肌を摘まみ上げるマッサージ効果とを同時に得ることができる美容器を提供する。【解決手段】本体１２に４本の支持軸１３〜１６を、先広がり傾斜状に延びる軸線上にそれぞれ位置するように突設する。各支持軸１３〜１６上には、マッサージ用のローラ１７〜２０を回転可能に支持する。【選択図】図２
2014168642.tif 000002
【特許請求の範囲】
【請求項１】
本体と、
その本体に支持され、先広がり傾斜状に延びる少なくとも３本の軸線上に位置する支持軸と、
前記各支持軸上に回転可能に支持されたマッサージ用のローラと
を設けた美容器。
【請求項２】
本体と、
その本体に回転可能に支持され、先広がり傾斜状に延びる少なくとも３本の軸線上に位置する支持軸と、
前記各支持軸上に固定されたマッサージ用のローラと
を設けた美容器。
【請求項３】
前記支持軸は４本である請求項１または２に記載の美容器。
【請求項４】
前記支持軸は、軸間間隔の狭い対と広い対とが設けられるように配置された請求項３に記載の美容器。
【請求項５】
前記支持軸は、側面投影において少なくとも一対が先広がり傾斜状である請求項３または４に記載の美容器。
【請求項６】
前記支持軸は、前記側面投影とは９０度異なる方向からの側面投影において少なくとも一対が先広がり傾斜状である請求項５に記載の美容器。
【請求項７】
前記支持軸は、一方向からの側面投影において二対が先広がり傾斜状であるとともに、９０度異なる他方向からの側面投影において二対が先広がり傾斜状である請求項４または５に記載の美容器。
【請求項８】
支持軸を長方形のコーナ部に配置した請求項３〜７のうちのいずれか一項に記載の美容器。
【請求項９】
前記本体にハンドルを設けた請求項１〜８のうちのいずれか一項に記載の美容器。
【請求項１０】
前記ハンドルの向きを各ローラの配置面内において調節可能にした請求項９に記載の美容器。
【請求項１１】
前記ハンドルを調節された向きにおいて保持する保持機構を設けた請求項１０に記載の美容器。
【請求項１２】
前記ローラ及びハンドルの表面を導電材料によって形成するとともに、ハンドルの上面に太陽電池パネルを設け、ローラ及びハンドルの表面の導電材料が太陽電池パネルの出力端子を構成した請求項１０または１１に記載の美容器。
【発明の詳細な説明】
【技術分野】
【０００１】
この発明は、美しい肌を実現するためのマッサージ用のローラが設けられた美容器に関する。
【背景技術】
【０００２】
従来、この種の美容器としては、例えば特許文献１及び特許文献２に開示されるような構成が提案されている。
特許文献１に記載の従来構成においては、本体上に３個のステンレス球が等間隔をおいた状態で、ボール支えを介して回転可能に支持されている。そして、これらのステンレス球が肌に押し当てられて移動されることにより、肌がマッサージされる。
【０００３】
また、特許文献２に記載の従来構成においては、ハンドルの先端に２個の球体状のローラが、先広がり状の一対の軸線を中心に回転可能に支持されている。
【先行技術文献】
【特許文献】
【０００４】
【特許文献１】実用新案登録第３１５１５９８号公報
【特許文献２】意匠登録第１４２６５７５号公報
【発明の概要】
【発明が解決しようとする課題】
【０００５】
ところが、これらの従来の美容器においては、次のような問題があった。
特許文献１に記載の従来構成では、各ステンレス球は肌を押圧したり、肌の上を転がったりするだけであるため、有効なマッサージ効果を得ることは難しい。
【０００６】
一方、特許文献２に記載の従来構成では、２個の球体状のローラにより特許文献１と同様なマッサージ効果を得ることができる。さらに、特許文献２の構成においては、両ローラが肌に押し当てられた状態で、一方向に回転しながら移動されたときには、両ローラ間において肌を摘まみ上げるようなマッサージ効果を得ることができる。しかしながら、肌の摘み上げはローラが一方向に回転するときにしか得られないため、肌を押圧するマッサージ効果と肌を摘まみ上げるマッサージ効果とを同時に得ようとすると、美容器を小まめに往復動させる必要があって、取り扱いが面倒であった。
【０００７】
この発明は、このような従来の技術に存在する問題点に着目してなされたものである。その目的は、本体を一方向に移動させるのみで、肌を押圧するマッサージ効果と肌を摘まみ上げるマッサージ効果とを同時に得ることができる美容器を提供することにある。
【課題を解決するための手段】
【０００８】
上記の目的を達成するために、この美容器は、本体と、その本体に支持され、先広がり傾斜状に延びる少なくとも３本の軸線上に位置する支持軸と、前記各支持軸上に回転可能に支持されたマッサージ用のローラとを設けている。
【０００９】
従って、この美容器においては、各ローラを肌に押し当てた状態で、本体を隣接する一対のローラの配列方向と交差する方向に沿って一方向及び他方向に移動させると、各ローラが先広がり傾斜状に延びる軸線上の支持軸の周りで回転される。このとき、先行する隣接状態のローラにおいては、移動方向の前方側に向かって広がるように交差した軸線を中心にして回転されるため、肌を押圧するようなマッサージ効果が得られる。これに対して、後行する隣接状態のローラにおいては、移動方向の後方側に向かって広がるように交差した軸線を中心にして内向きに回転されるため、両ローラ間で肌を摘まみ上げるようなマッサージ効果が得られる。よって、本体を往復動させることなく一方向に移動させるのみの操作で、肌に対する押圧と摘まみ上げとの異なったマッサージ効果を同時に得ることができる。
【発明の効果】
【００１０】
前記の美容器によれば、本体を一方向に移動させるのみで、肌を押圧するマッサージ効果と肌を摘まみ上げるマッサージ効果とを同時に得ることができるという効果を発揮する。
【図面の簡単な説明】
【００１１】
【図１】一実施形態の美容器を示す斜視図。
【図２】図１の美容器を底面側から見て示す斜視図。
【図３】同美容器の平面図。
【図４】（ａ）及び（ｂ）は同美容器の異なった作用状態を示す正面図。
【図５】（ａ）及び（ｂ）は同美容器の異なった作用状態を示す側面図。
【図６】図３の６−６線における拡大断面図。
【図７】図６の７−７線における部分拡大断面図。
【図８】ローラの支持構成を示す断面図。
【図９】ローラの支持構成の変更例を示す断面図。
【図１０】ローラの支持構成の別の変更例を示す断面図。
【図１１】ローラの形状の変更例を示す側面図。
【図１２】ローラの形状の別の変更例を示す側面図。
【図１３】ローラの形状のさらに別の変更例を示す側面図。
【図１４】ローラの形状のさらに別の変更例を示す側面図。
【発明を実施するための形態】
【００１２】
以下、美容器の一実施形態を図面に従って説明する。
図１及び図２に示すように、この実施形態の美容器１１は、合成樹脂よりなる本体１２を備えている。図２及び図６に示すように、本体１２の４箇所の隅角部には、４本の脚部１２１が突出形成されている。脚部１２１は長方形の頂点部に位置している。各脚部１２１には、合計４本の支持軸１３，１４，１５，１６が突設されている。図４及び図５に示すように、各支持軸１３〜１６は、は、水平面に対して設置された状態で、鉛直線に対して傾斜状に延びて、先広がり傾斜状をなすとともに、長四角形のコーナ部上に位置している。すなわち、図４（ａ）（ｂ）に示すように、長方形の短辺の両端に位置してその短辺を挟む二対の支持軸１３，１４及び支持軸１５，１６は、側面投影において先広がり傾斜状をなし、各対の軸間間隔Ｌ１は狭く形成されている。また、図５（ａ）（ｂ）に示すように、長方形の長辺の両端に位置してその長辺を挟む二対の支持軸１３，１５及び支持軸１４，１６は、前記側面投影とは９０度異なる側面投影において先広がり傾斜状をなし、各対の軸間間隔Ｌ２は前記間隔Ｌ１より広く形成されている。従って、４本の各支持軸１３，１４，１５，１６は、一方向からの側面投影において二対が先広がり傾斜状であるとともに、９０度異なる他方向からの側面投影において他の組み合わせの二対が先広がり傾斜状である。
【００１３】
図２及び図８に示すように、前記各支持軸１３〜１６の先端部には、それぞれマッサージ用のローラ１７，１８，１９，２０が軸受４０を介して回転可能に支持されている。各ローラ１７〜２０の回転の中心となる自身の軸線１０１は、支持軸１３〜１６の軸線１００と一致している。各ローラ１７〜２０は、合成樹脂により全体としてほぼ球体状となるように形成されている。各ローラ１７〜２０の外表面には、肌の表面や組織に好適な刺激を与える多数の三角状の小平面１７１，１８１，１９１，２０１が形成されている。各ローラ１７〜２０の外表面には、導電材料を構成する導電金属メッキが施されている。
【００１４】
図６に示すように、前記本体１２の中央部には、ボス部２１が形成されている。本体１２上には、ハンドル２２がその下面中央に突設された支軸２３をボス部２１に挿通することによって各ローラ１７〜２０の配置平面内において回転可能に、かつ図６において上下動可能に支持されている。図３に示すように、ハンドル２２は、合成樹脂により本体１２の上面全体を覆う大きさであって、平面ほぼ分銅形状をなすように形成されている。ハンドル２２の両側部には、円弧凹状の把持部２２１が形成されている。ハンドル２２の外表面には、導電材料を構成する導電金属メッキが施されている。ハンドル２２の導電金属メッキとローラ１７〜２０の導電金属メッキとの間は電気絶縁されている。支軸２３の下端部に固定されたバネ座２４とボス部２１の下端縁との間には、ハンドル２２を図６の下方に向かって移動付勢するバネ２５が介装されている。
【００１５】
図６及び図７に示すように、前記ハンドル２２の下面中央には、金属製のカラー２６が埋設状態で固定されている。カラー２６の下面には、一対の半球状の係合突起２７が支軸２３の軸心を中心とする同一円周上において１８０度の間隔をおいて形成されている。本体１２のボス部２１の上面中央には、係合突起２７に係合可能な複数対の半球状の係合凹部２８，２９，３０，３１が形成されている。各対の係合凹部２８〜３１は、支軸２３の軸心を中心とする同一円周上において４５度の間隔をおいて形成されている。そして、本体１２に対してハンドル２２が時計方向又は反時計方向に回転されたとき、係合突起２７が各係合凹部２８〜３１に係合される。これにより、ハンドル２２の回動位置が４５度ごとに規制されて、例えば図３に実線及び鎖線で示すように、ハンドル２２の向きが４５度おきに３６０度の範囲で任意に調節される。この場合、係合凹部の数や配列ピッチを変更することにより、ハンドル２２の調節角度や角度範囲を任意に設定できる。従って、係合突起２７及び係合凹部２８〜３１によってハンドル２２を複数の向きにおいて保持する保持機構が構成されている。
【００１６】
図１、図３及び図６に示すように、前記ハンドル２２の上面には、一対の凹部３２が形成されている。各凹部３２内には、太陽電池パネル３３が設置されている。太陽電池パネル３３の出力は図示しない給電線を介して前記各ローラ１７〜２０の導電メッキ及びハンドル２２の導電金属メッキに供給される。従って、各導電金属メッキは太陽電池パネル３３の出力端子を構成する。このため、太陽電池パネル３３で発電された電力が、各ローラ１７〜２０及びハンドル２２の導電金属メッキに供給される。そして、美容器１１の使用時に、それらの導電部間に人体を介在させた電路が形成され、ローラ１７〜２０とハンドル２２の間において皮膚を含む身体に微弱電流が流れて、身体への刺激増進により美容的効果が高められる。
【００１７】
次に、前記のように構成された美容器１１の作用を説明する。
この美容器１１を使用して、身体の腕，足，首等の曲率が大きく平面度が低い細い部位をマッサージする場合には、ハンドル２２の把持部２２１を把持して、図４（ａ）に鎖線で示すように、各ローラ１７〜２０をマッサージしたい箇所の肌３４に押し当てる。そして、狭い間隔で配置されたローラ１７，１８及びローラ１９，２０の各配置方向と直交する方向である図２及び図３の矢印Ｐ１方向，反矢印Ｐ１方向のいずれかに移動させる。
【００１８】
このようにすると、美容器１１が、図２及び図３において例えば矢印Ｐ１方向に移動されると、円弧矢印Ｑ１，Ｑ２で示すように、移動方向において先行する一対のローラ１７，１８が、移動方向の前方側に向かって広がるとともに交差した軸線を中心にして回転される。これにより、図４（ａ）に示すように、各ローラ１７，１８において肌３４が押圧されようにマッサージされる。それと同時に、図２及び図３に矢印Ｑ３，Ｑ４で示すように、移動方向において後行する一対のローラ１９，２０が、その前部側が移動方向の後部側に狭まるとともに交差した軸線を中心にして内向きに回転される。これにより、図４（ｂ）に示すように、両ローラ１９，２０間において肌３４が摘まみ上げられながらマッサージされる。つまり、本体１２の一方向への移動によって、肌３４に対する押圧と摘まみ上げとの異なった種類のマッサージ効果が同時に得られる。
【００１９】
また、ハンドル２２により本体１２を図２及び図３の矢印Ｐ１方向の反対方向に移動させた場合には、前記の場合と逆のローラ１７〜２０において、押圧と摘まみ上げとのマッサージが行われる。すなわち、先行する一対のローラ１９，２０において、図４（ａ）に示すように、肌３４が押圧されようにマッサージされる。それと同時に、後行する一対のローラ１７，１８間において、図４（ｂ）に示すように、肌３４が摘まみ上げられながらマッサージされる。よって、本体１２を図２及び図３の矢印Ｐ１方向及び反対方向に往復移動させれば、双方向移動において肌３４に対する押圧及び摘まみ上げのマッサージ効果を連続して得ることができる。
【００２０】
ところで、ローラ１７，１８対及びローラ１９，２０対を支持する支持軸１３，１４及び支持軸１５，１６の軸間間隔Ｌ１が小さくなっている。このため、前記のように、身体の腕や足首等の曲率の大きい部位を二対のローラ１７，１８及びローラ１９，２０間において、効果的にマッサージすることができる。特に、図４（ｂ）に示すように、肌３４を摘まみ上げられるようにマッサージする作用は美容に有効である。
【００２１】
次に、身体の腿や腰等の曲率が小さい平面的な部位をマッサージする場合には、ハンドル２２の把持部２２１を把持して、各ローラ１７〜２０を腿や腰等の肌３４に押し当てる。そして、ローラ１７，１９及びローラ１８，２０を例えば図３の矢印Ｐ２方向に移動させる。すると、先行するローラ１７，１９において、図５（ａ）に示すように、肌３４が押圧されようにマッサージされる。それと同時に、後行する対間のローラ１８，２０間において、図５（ｂ）に示すように、肌３４が摘まみ上げられるようにマッサージされる。
【００２２】
また、本体１２を図３の矢印Ｐ２と反対方向に移動させた場合には、前記の場合と逆のローラ１７〜２０において、押圧と摘まみ上げとのマッサージが行われる。すなわち、先行する対間のローラ１８，２０において、図５（ａ）に示すように、肌３４が押圧されると同時に、後行するローラ１７，１９間において、図５（ｂ）に示すように、肌３４が摘まみ上げられる。よって、前記と同様に本体１２の一方向への移動ごとに、肌３４に対する押圧と摘まみ上げとの異なったマッサージ効果が同時に得られるとともに、本体１２を図３の矢印Ｐ２方向及び反対方向に往復移動させることにより、それらのマッサージ効果を連続して得ることができる。
【００２３】
そして、これらの場合には、対間のローラ１７，１９及びローラ１８，２０を支持する支持軸１３，１５及び支持軸１４，１６の軸間間隔Ｌ２が大きくなっている。このため、身体の腿や腰等の曲率の小さい部位を対間のローラ１７，１９及びローラ１８，２０間において、効果的にマッサージすることができる。
【００２４】
また、身体の曲率の大きい部位及び小さい部位のいずれのマッサージの場合においても、ハンドル２２の角度を３６０度の範囲にわたって４５度単位で任意に調節できる。このため、マッサージする部位等に応じてハンドル２２を適切な角度に選択することにより、ハンドル２２を無理なく持つことができる。このため、マッサージを少ない疲労で容易に行なうことができる。
【００２５】
従って、この実施形態によれば、以下のような効果を得ることができる。
（１）  この美容器１１においては、本体１２に４本の支持軸１３〜１６が、先広がり傾斜状に延びるように突設されている。各支持軸１３〜１６上には、マッサージ用のローラ１７〜２０が回転可能に支持されている。
【００２６】
このため、この美容器１１においては、先行する隣接状態の一対のローラ１７〜２０において、肌３４を押圧するようなマッサージ効果が得られる。これに対して、後行する隣接状態の一対のローラ１７〜２０において、両ローラ１７〜２０間で肌３４を摘まみ上げるようなマッサージ効果が得られる。よって、本体１２を往復動させることなく一方向に移動させるのみで、肌３４及び筋肉に対する押圧と摘まみ上げとの異なった種類のマッサージ効果を同時に得ることができる。
【００２７】
（２）  この美容器１１においては、前記支持軸１３〜１６が二対４本設けられ、各対の支持軸１３，１４及び支持軸１５，１６の軸間間隔Ｌ１より他の各対の支持軸１３，１５及び支持軸１４，１６の軸間間隔Ｌ２が大きくなるように構成されている。このため、腕や足首等の細い部位をマッサージする場合には、軸間間隔Ｌ１の小さい二対の支持軸１３，１４及び支持軸１５，１６上に支持されたローラ１７，１８及びローラ１９，２０を移動方向の前方及び後方にした状態で、本体１２を移動させる。このことにより、二対のローラ１７〜２０において腕等の曲率の大きな細い部位に対する押圧と摘まみ上げとの異なったマッサージ効果を発揮させることができる。これに対して、腿や腰等の曲率の小さい太い部位をマッサージする場合には、軸間間隔Ｌ２の大きい二対の支持軸１３，１５及び支持軸１４，１６上に支持されたローラ１７，１９及びローラ１８，２０を前方及び後方にした状態で、本体１２を移動させる。このことにより、二対のローラ１７〜２０において太い部位に対する押圧と摘まみ上げとの異なったマッサージ効果を発揮させることができる。よって、マッサージする部位に応じてローラ１７〜２０を適切に使い分けすることができて、身体の希望する部分において良好なマッサージ効果を得ることができる。
【００２８】
（３）  この美容器１１においては、前記本体１２にハンドル２２が設けられている。このため、ハンドル２２を把持して本体１２を容易に移動させることができて、マッサージを適切に行なうことができる。
【００２９】
（４）  この美容器１１においては、前記ハンドル２２の向きが変更可能に構成されるとともに、所望の角度で保持されるようになっている。このため、例えばマッサージの部位に応じて、ハンドル２２の向きを変更することにより、本体１２を所望の方向に自由に、かつ無理なく移動させることができて、良好な操作性とマッサージ効果とを得ることができる。
【００３０】
（変更例）
なお、この実施形態は、次のように変更して具体化することも可能である。
・  支持軸１３〜１６の数，すなわちローラの数を３個にしたり、５個以上にしたりすること。例えば、ローラの数を３個にした場合、各ローラ間の間隔を全て異ならせることにより、身体の各部の異なる曲率にあわせて適切にマッサージできるようにしたり、摘み上げる量を変化させるようにしたりすることが可能になる。
【００３１】
・  ハンドル２２の向きを前記の構成とは異なった角度、例えば３０度ごとに変更できるように構成すること。
・  ハンドル２２として、棒状、ボール状、環状等、前記実施形態と異なる形状にすること。
【００３２】
・  ハンドル２２を省略すること。この場合、本体１２がハンドル機能を有することになる。
・  ハンドル２２を本体１２に対して一体にすること。
【００３３】
・  ハンドル２２を本体１２に対して固定にすること。
・  本体１２を合成樹脂以外の材料，例えば、金属や木，あるいは石やセラミック等によって形成すること。
【００３４】
・  ハンドル２２を合成樹脂以外の材料，例えば、金属や木，あるいは石やセラミック等によって形成すること。
・  本体１２，ハンドル２２，ローラ１７〜２０の導電金属メッキを省略すること。この場合、太陽電池パネル３３の例えば埋め込み型の出力端子を本体１２，ハンドル２２，ローラ１７〜２０等の表面に設けて、出力端子に使用者の皮膚が接触できるようにする。
【００３５】
・  太陽電池パネル３３の数を１または３以上にすること。
・  太陽電池パネル３３を省略すること。
・  他のローラに対して、径の異なるローラを少なくともひとつ設けること。従って、全てのローラの径が異なるケースも考えられる。
【００３６】
・  図９に示すように、支持軸１３〜１６の中心軸線１００と少なくとも１個のローラ１７〜２０の中心軸線１０１とを一致させず、それらを異なる位置に配置して、支持軸１３〜１６の中心軸線１００に対してローラ１７〜２０の中心軸線１０１を傾斜させること。この場合、ローラ１７〜２０の中心軸線１０１は支持軸１３〜１６の中心軸線１００に対して交差しても交差しなくてもよい。このようにすれば、図９に２点鎖線で示すように、ローラ１７〜２０はその回転にともなって揺動するため、皮膚への当接圧力に強弱をつけることができる。
【００３７】
・  図１０に示すように、支持軸１３〜１６の中心軸線１００に対して少なくとも１個のローラ１７〜２０の中心軸線１０１を偏心させること。この場合、ローラ１７〜２０の中心軸線１０１は支持軸１３〜１６の中心軸線１００に対して平行である。このようにすれば、図１０に２点鎖線で示すように、ローラ１７〜２０は偏心回転するため、皮膚への当接圧力に強弱をつけることができる。
【００３８】
・  少なくとも１個のローラ１７〜２０において、支持軸１３〜１６を本体１２に軸受を介して回転可能に支持するとともに、その支持軸１３〜１６にローラ１７〜２０を固定すること。従って、この構成においては、支持軸１３〜１６とローラ１７〜２０とが一体に回転される。また、この構成において、図示はしないが、少なくとも１個のローラ１７〜２０において、支持軸１３〜１６の脚部１２１に支持される部分と、ローラ１７〜２０を支持する部分との間において、支持軸１３〜１６を屈曲または湾曲させること。このようにすれば、支持軸１３〜１６が全体としてくの字状やクランク状になる。従って、ローラ１７〜２０が揺動しながら回転されたり、偏心回転されたりするため、皮膚への当接圧力に強弱をつけることができる。
【００３９】
・  図１１〜１４に示すように、ローラ１７〜２０の形状を変更すること。図１１ではローラ１７〜２０が球形に形成され、図１２では楕円球形あるいはラグビーボール形状に形成され、図１３では両端を半球状にした円筒状に形成され、図１４では一端側を半球状にしたバルーン形状に形成されている。さらに、例えば、両端を切り落とした平面状にするとともに、外周面が円筒面を有する筒形状、すなわちドラム状あるいは樽状にしたり、多角形の筒形状（１０角筒，１２角筒等）にしたりすること。なお、前記のようにバルーン形状に形成された場合は、曲率の大きな先端側の部分で肌を摘まみ上げ、曲率の小さな部分で摘まみ上げ状態を保持できるため、摘まみ上げ効果を向上させることができる。
【００４０】
・  ローラ１７〜２０の表面の小平面１７１，１８１，１９１，２０１の形状を変更すること。例えば、図１１のように四角形にしたり、図１２のように細長形状にしたり、図１４のように円形状にしたりしてもよい。なお、図１２では、ローラ１７〜２０の最大径部に環状のライン１０３が付されている。図１３のローラ１７〜２０は、表面が平滑で、小平面１７１，１８１，１９１，２０１は形成されていないが、その表面を梨地状にしたり、多数の小孔を有するディンプル状にしたりしてもよい。
【００４１】
・  ローラ１７〜２０として表面に多数のイボ状の突起を有する形状にすること。
・  少なくとも１個のローラ１７〜２０において、ほぼ球状あるいはラグビーボール形状等の各種形状のローラ１７〜２０の皮膚と接する部分における外周の一部または複数部分を凹ませたり、突出させたりすること。このようにすれば、ローラ１７〜２０の回転にともない、ローラ１７〜２０間の間隔が変化するため、皮膚への当接圧力に強弱をつけることができる。
【００４２】
・  長辺上において隣接したり、対角線上において隣接したりするローラ１７〜２０間に電位差が形成されようにすること。このようにすれば、ローラ１７〜２０間に交流電流やパルス電流を供給することにより、ローラ１７〜２０間の皮膚や筋肉に対して電気マッサージを与えることができる。ただし、この場合は、電位差が形成されるローラ１７〜２０間に電気絶縁構造を設ける必要がある。
【００４３】
（他の技術的思想）
前記実施形態から把握される技術的思想は以下の通りである。
（Ａ）  少なくとも１つのローラの軸線が前記支持軸の軸線と異なるところに位置する請求項１〜１２のうちのいずれか一項に記載の美容器。
【００４４】
（Ｂ）  前記ローラの軸線は支持軸の軸線に対して傾斜する前記技術的思想（Ａ）項に記載の美容器。
（Ｃ）  ローラの軸線は支持軸の軸線と平行をなす前記技術的思想（Ａ）項に記載の美容器。
【符号の説明】
【００４５】
１１…美容器、１２…本体、１３〜１６…支持軸、１７〜２０…ローラ、２２…ハンドル、３３…太陽電池パネル、１００…軸線、１０１…軸線、Ｌ１，Ｌ２…軸間間隔。
【図１】
2014168642.tif 000003
【図２】
2014168642.tif 000004
【図３】
2014168642.tif 000005
【図４】
2014168642.tif 000006
【図５】
2014168642.tif 000007
【図６】
2014168642.tif 000008
【図７】
2014168642.tif 000009
【図８】
2014168642.tif 000010
【図９】
2014168642.tif 000011
【図１０】
2014168642.tif 000012
【図１１】
2014168642.tif 000013
【図１２】
2014168642.tif 000014
【図１３】
2014168642.tif 000015
【図１４】
2014168642.tif 000016